(57)【要約】【課題】  保冷剤を、箱の底角や箱の片側に収容した場合、箱内は保冷剤の近くと離れている場所で温度差が生じ、生鮮葉物ハーブの品質にばらつきが出ると共に、保冷剤が結露して箱底を濡らし箱や生鮮葉物ハーブの劣化を生じるおそれがあった。【解決手段】     底板、天板及び側板を有する箱体３０の底部３１の中央位置を囲って立設した組立可能な保冷剤収容枠体１と、保冷剤収容枠体１内に保冷剤を箱体３０の中心部を含む空間に位置して載置する吸水性紙製の保冷剤設置棚２とからなり、保冷剤収容枠体１の外周に生鮮葉物ハーブ収容部を区画する保冷調湿用紙製中仕切板とその箱体を用いた生成葉物ハーブの搬送用コンテナー箱、搬送システム及び生鮮葉物ハーブ。【選択図】  図１
2015221687.tif 000002
【特許請求の範囲】
【請求項１】
底板、天板及び側板を有する箱体の底部の中央位置を囲って着脱可能に立設した組立可能な保冷剤収容枠体と、保冷剤収容枠体内の前記底部から離れた位置に組立可能に設け保冷剤を箱体の中心部を含む空間に位置して載置する吸水性紙製の保冷剤設置棚とからなり、保冷剤収容枠体の外周に生鮮葉物ハーブ収容部を区画する保冷調湿用紙製中仕切板。
【請求項２】
２枚の対をなす保冷剤収容枠体の少なくとも一方を、２枚の保冷剤収容枠体の間隔にほぼ一致するように切り欠いて、その切欠片部を２枚の保冷剤収容枠体の間に架け渡して保冷剤設置棚を設けてなる請求項１に記載の保冷調湿用紙製中仕切板。
【請求項３】
紙製の中仕切板の展開状態において、中仕切板の中央部に保冷剤設置棚の平面形状を形成する一対のほぼ平行する切込み線と、切込み線の相対する端部を結ぶ線に沿って設けた一対の内側折畳線とを設けると共に、前記一対の切込み線から中仕切板の縁部に向かってそれぞれほぼ直角方向に設けた切離線と、切り離した一方の枠辺部を切り込み線とほぼ一致する直線に沿って設けた内側折畳線と、前記中央部の保冷剤設置棚の平面形状を間に前記一方の枠辺部と斜向かいに位置する他方の枠辺部を形成する前記切り込み線とほぼ一致する直線に沿って設けた内側折畳線と、前記枠辺部と切り離した補助枠辺部を切り込み線とほぼ一致する直線に沿って設けた外側折畳線と、前記中央部の保冷剤設置棚の平面形状を間に前記補助枠辺部と斜向かいに位置する他方の補助枠辺部を形成する前記切込み線とほぼ一致する直線に沿って設けた外側折畳線とからなる展開状態を有する請求項１に記載の保冷調湿用紙製中仕切板。
【請求項４】
切込み線部のほぼ中心部から仕切板の縁部に向かってそれぞれほぼ直角方向に設けた切離線部を有する請求項３に記載の保冷調湿用紙製中仕切板。
【請求項５】
切込み線の相対する端部を結ぶ線に沿って設けた一対の内側折畳線の中間部が切込み線の長さより幅広く設けた幅広中間線部を形成する請求項３又は４に記載の保冷調湿用紙製中仕切板。
【請求項６】
保冷剤設置棚の平面形状を形成する切込み線の相対する端部を結ぶ線に沿って相対して設けた内側折畳線の一部に折畳線のない間欠部を設け、相対する間欠部の両端部間を切欠き線で切り離すと共に、切り離し部の中央を前記切離線と一致する直線に沿って切り離して立脚片部を設けてなる請求項３、４又は５に記載の保冷調湿用紙製中仕切板。
【請求項７】
切込み線から中仕切板の縁部に向かってそれぞれほぼ直角方向に設けた切離線で切り離した一方の起立枠辺部を切り込み線と一致する直線に沿って設けた内側折畳線により内側にほぼ直角に屈曲すると共に、前記起立枠辺部と切り離した補助枠辺部を切り込み線と一致する直線に沿って設けた外側折畳線により外側にほぼ直角に屈曲し、前記中央部の保冷剤設置棚の平面形状を底部として相対する一対の内側折畳線により保冷剤収容枠体を立ち上げて、補助枠片部の前記起立枠片部と補助枠片部を重ね合わせて組み立て可能な構成を有する請求項３乃至６のいずれかに記載の保冷調湿用紙製中仕切板。
【請求項８】
保冷剤設置棚の切り込み線の幅とその両側の起立枠片部又は補助枠片部の幅を加えた長さが箱体の幅にほぼ一致するように構成した請求項３乃至７のいずれかに記載の保冷調湿用紙製中仕切板。
【請求項９】
保冷剤収容枠体に１個又は複数個の通気孔を設けてなる請求項１乃至８のいずれかに記載の保冷調湿用紙製中仕切板。
【請求項１０】
請求項１乃至９のいずれかに記載の保冷調湿用紙製中仕切板を用いた生鮮葉物ハーブの搬送用コンテナー箱。
【請求項１１】
箱が組立可能な段ボール箱からなる請求項１０に記載の生鮮葉物ハーブの搬送用コンテナー箱。
【請求項１２】
請求項１乃至９のいずれかに記載の折り畳んだ保冷調湿用紙製中仕切板を組み立てて箱内に収容し、保冷剤収容枠体と保冷剤設置棚により箱の中心部に保冷剤を収納すると共に、その周囲に生鮮葉物ハーブを収容して箱詰めし、保管又は搬送することからなる生鮮葉物ハーブの搬送システム。
【請求項１３】
請求項１０又は１１に記載の生鮮葉物ハーブの搬送用コンテナー箱の生鮮葉物ハーブ収容部に収容された容器入り生鮮葉物ハーブ。
【請求項１４】
請求項１３に記載の容器入り生鮮葉物ハーブの容器が、保冷剤収容枠体に設けた通気孔より大きな容器を用いた容器入り生鮮葉物ハーブ。
【発明の詳細な説明】
【技術分野】
【０００１】
本発明は、生鮮葉物ハーブの保冷調湿用紙製中仕切板の構造とそれを用いた食用ハーブなどの生鮮葉物ハーブ搬送用コンテナー箱と搬送システム及び生鮮葉物ハーブに関する。
【背景技術】
【０００２】
従来、食用ハーブなどの生鮮葉物ハーブ搬送用コンテナー箱においては、商店などでそのまま陳列販売することができるように、生鮮葉物ハーブを収容した小売用葉物ケースを多数個収容して保管、搬送していた。生鮮葉物ハーブは流通過程の温度によって品質が大きく影響するため、箱内には生鮮葉物ハーブが劣化しないように保冷剤を入れているが、その保冷剤が一緒に収容する小売用葉物ケースの邪魔にならないように、箱の底角に着脱可能な枠体などで覆い、テープで止めて隔離していた。また、箱内が乾燥すると葉物の退色や、みずみずしさが無くなり、商品価値が無くなる畏れがあり、過加水状態になると、微生物の増殖により、葉の変色やとろけが促進され、傷がつきやすくなる他、葉の表面に水滴がつくと汚れがついてしまう畏れがある。
特許文献１には、箱体内を中央の断熱板で２分して一方にドライアイスと冷凍品を収容するとともに他方に冷蔵品を保管する構造が記載されている。
特許文献２には、仕切り板によって箱体の中央とその周囲に収容空間を形成する構造が記載されている。
【先行技術文献】
【特許文献】
【０００３】
【特許文献１】特開２０００−２０３６６２号公報
【特許文献２】実開昭６１−８５１５号公報
【発明の概要】
【発明が解決しようとする課題】
【０００４】
箱内に生鮮葉物ハーブが劣化しないように収容する保冷剤を、箱の底角や箱の片側に収容した場合、箱内は保冷剤の近くと離れている場所で温度差が生じ、生鮮葉物ハーブの品質にばらつきが出ると共に、保冷剤が結露して箱底を濡らし箱の劣化を生じるおそれがあった。また、仕切り板によって箱体の中央とその周囲に収容空間を形成する構造において、中央空間に保冷剤を置くだけでは、冷気が箱内に十分に行きわたらないのみならず、保冷剤が結露して箱底を濡らし箱の劣化を生じるおそれがあった。
【課題を解決するための手段】
【０００５】
そこで本発明は、特許請求の範囲の請求項１に記載のように、底板、天板及び側板を有する箱体の底部の中央位置を囲って着脱可能に立設した組立可能な保冷剤収容枠体と、保冷剤収容枠体内の底部から離れた位置に組立可能に設け保冷剤を箱体の中心部を含む空間に位置して載置する吸水性紙製の保冷剤設置棚とからなり、保冷剤収容枠体の外周に生鮮葉物ハーブ収容部を区画する保冷調湿用紙製中仕切板を提供しようとするものである。
また、本発明は、請求項２に記載のように、２枚の対をなす保冷剤収容枠体の少なくとも一方を、２枚の保冷剤収容枠体の間隔に一致するように切り欠いて、その切欠片部を２枚の保冷剤収容枠体の間に架け渡して保冷剤設置棚を設けてなる請求項１に記載の保冷調湿用紙製中仕切板を提供しようとするものである。
【０００６】
また、本発明は、請求項３に記載のように、紙製の中仕切板の展開状態において、中仕切板の中央部に保冷剤設置棚の平面形状を形成する一対のほぼ平行する切込み線と、切込み線の相対する端部を結ぶ線に沿って設けた一対の内側折畳線とを設けると共に、前記一対の切込み線から中仕切板の縁部に向かってそれぞれほぼ直角方向に設けた切離線と、切り離した一方の枠辺部を切り込み線とほぼ一致する直線に沿って設けた内側折畳線と、前記中央部の保冷剤設置棚の平面形状を間に前記一方の枠辺部と斜向かいに位置する他方の枠辺部を形成する前記切り込み線とほぼ一致する直線に沿って設けた内側折畳線と、前記枠辺部と切り離した補助枠辺部を切り込み線とほぼ一致する直線に沿って設けた外側折畳線と、前記中央部の保冷剤設置棚の平面形状を間に前記補助枠辺部と斜向かいに位置する他方の補助枠辺部を形成する前記切込み線とほぼ一致する直線に沿って設けた外側折畳線とからなる展開状態を有する請求項１に記載の保冷調湿用紙製中仕切板を提供しようとするものである。
【０００７】
また、本発明は、請求項４に記載のように、切込み線部のほぼ中心部から仕切板の縁部に向かってそれぞれほぼ直角方向に設けた切離線部を有する請求項３に記載の保冷調湿用紙製中仕切板を提供しようとするものである。
また、本発明は、請求項５に記載のように、切込み線部の相対する端部を結ぶ線に沿って設けた一対の内側折畳線部の中間線部が切込み線部の長さより幅広く設けた幅広中間線部を形成する請求項３又は４に記載の保冷調湿用紙製中仕切板を提供しようとするものである。
【０００８】
また、本発明は、請求項６に記載のように、保冷剤設置棚の平面形状を形成する切込み線部の相対する端部を結ぶ線に沿って相対して設けた内側折畳線部の一部に折畳線部のない間欠部を設け、相対する間欠部の両端部間を切欠き線部で切り離すと共に、切離し部の中央を前記切離線部と一致する直線に沿って切り離して立脚片部を設けてなる請求項３、４、又は５に記載の保冷調湿用紙製中仕切板を提供しようとするものである。
また、本発明は、請求項７に記載のように、切込み線部から中仕切板の縁部に向かってそれぞれほぼ直角方向に設けた切離線部で切り離した一方の起立枠辺部を切込み線部とほぼ一致する直線部に沿って設けた内側折畳線部により内側にほぼ直角に屈曲すると共に、前記起立枠辺部と切り離した補助枠辺部を切込み線部とほぼ一致する直線に沿って設けた外側折畳線部により外側にほぼ直角に屈曲し、前記中央部の保冷剤設置棚の平面形状を底部として相対する一対の内側折畳線部により保冷剤収容枠体を立ち上げて、補助枠片部の前記起立枠片部と補助枠片部を重ね合わせて組み立て可能な構成を有する請求項３乃至６のいずれかに記載の保冷調湿用紙製中仕切板を提供しようとするものである。
また、本発明は、請求項８に記載のように、保冷剤設置棚の切込み線部の幅とその両側の起立枠片部又は補助枠片部の幅を加えた長さが箱体の幅にほぼ一致するように構成した請求項３乃至７のいずれかに記載の保冷調湿用紙製中仕切板を提供しようとするものである。
【０００９】
本発明は、請求項９に記載のように、保冷剤収容枠体に１個又は複数個の通気孔を設けてなる請求項１乃至８のいずれかに記載の保冷調湿用紙製中仕切板を提供しようとするものである。
また、本発明は、請求項１０に記載のように、請求項１乃至９のいずれかに記載の保冷調湿用紙製中仕切板を用いた生鮮葉物ハーブの搬送用コンテナー箱を提供しようとするものである。
また、本発明は、請求項１１に記載のように、箱が組立可能な段ボール箱からなる請求項１０に記載の生鮮葉物ハーブの搬送用コンテナー箱を提供しようとするものである。
また、本発明は、請求項１２に記載のように、請求項１乃至９のいずれかに記載の折り畳んだ保冷調湿用紙製中仕切板を組み立てて箱内に収容し、保冷剤収容枠体と保冷剤設置棚により箱の中心部に保冷剤を収納すると共に、その周囲に生鮮葉物ハーブを収容して箱詰めし、保管又は搬送することからなる生鮮葉物ハーブの搬送システムを提供しようとするものである。
【００１０】
また、本発明は、請求項１３に記載のように、請求項１０又は１１に記載の生鮮葉物ハーブの搬送用コンテナー箱の生鮮葉物ハーブ収容部に収容された容器入り生鮮葉物ハーブを提供しようとするものである。
また、本発明は、請求項１４に記載のように、請求項１３に記載の容器入り生鮮葉物ハーブの容器が、保冷剤収容枠体に設けた通気孔より大きな容器を用いた容器入り生鮮葉物ハーブを提供しようとするものである。
【発明の効果】
【００１１】
本発明に係わる保冷調湿用紙製中仕切板によれば、特許請求の範囲の請求項１に記載のように、底板、天板及び側板を有する箱体の底部の中央位置を囲って着脱可能に立設した組立可能な吸水性紙製の保冷剤収容枠体と、保冷剤収容枠体内の底部から離れた位置に組立可能に設け保冷剤を箱体の中心部を含む空間に位置して載置する吸水性紙製の保冷剤設置棚とからなり、保冷剤収容枠体の外周に生鮮葉物ハーブ収容部を区画する構成を有することにより、保冷剤を箱の中心位置を含んで設置することができるから、中心付近にある保冷剤が箱の底面、側面及び天面から隔離されているので、保冷剤の熱エネルギーが直接外部に伝導して逃げないため、熱効率良く保冷剤収容枠体の外周の生鮮葉物ハーブ収容部に収容した生鮮葉物ハーブを鮮度良く保管することができる効果があり、保冷剤収容枠体が吸水性紙製であるから、従来の発泡スチロールとは違って折り畳みが容易で、利用前後の保管、輸送時にスペースを必要とせず、リサイクル環境に影響が少なく、コストも低減できる効果があると共に、保冷剤表面に生じる結露水が垂れた場合にも吸水するから、箱体の底部が紙などの場合であっても結露水による強度低下を防止でき、また、撥水性の底部であっても、底部に水がたまらないことで、生鮮葉物ハーブの表面に水滴が付着しないため、生鮮葉物ハーブが痛まない効果があり、保冷剤収容枠体及び保冷剤設置棚が吸水性紙製であるから、保冷剤の結露を吸水することにより箱体内の保湿機能を持たせることができる効果がある。
【００１２】
また、本発明は、請求項２に記載のように、２枚の対をなす保冷剤収容枠体の少なくとも一方を、２枚の保冷剤収容枠体の間隔にほぼ一致するように切り欠いて、その切欠片部を２枚の保冷剤収容枠体の間に架け渡して保冷剤設置棚を設けてなる請求項１に記載の構成を有することにより、切欠片部によって保冷剤収容枠体に通気孔と保冷剤設置棚とを同時に設けることができる効果がある。
少なくとも一方の切欠片部は、保冷剤収容枠体の間隔に一致していても良いが、両方の保冷剤収容枠体に切欠片部を設ける場合は、重ねて間隔に一致させても良く、さらに、中間で接合して間隔に一致させても良い。
また、保冷剤収容枠体の間隔は、保冷剤設置棚としてのスペースであり、切欠片部は対する面までの実質的な距離があればよく、対をなす保冷剤収容枠体の間隔が部分的に違った場合は、その部分で届く間隔であれば良い。また、固定するために一部が大きくなっていることや、部分的に届いていない部分等があっても良い。
また、２枚の対をなす保冷剤収容枠体の両方を、２枚の保冷剤収容枠体の間隔に交互に一致するように切り欠いて、その切欠片部を２枚の保冷剤収容枠体の間に架け渡して保冷剤設置棚を設ける場合には、相対する切欠片部によって保冷剤収容枠体に交互に通気孔と保冷剤設置棚を設けることができる効果がある。
【００１３】
また、本発明は、請求項３に記載のように、紙製の中仕切板の展開状態において、中仕切板の中央部に保冷剤設置棚の平面形状を形成する一対のほぼ平行する切込み線と、切込み線の相対する端部を結ぶ線に沿って設けた一対の内側折畳線とを設けると共に、前記一対の切込み線から中仕切板の縁部に向かってそれぞれほぼ直角方向に設けた切離線と、切り離した一方の枠辺部を切り込み線とほぼ一致する直線に沿って設けた内側折畳線と、前記中央部の保冷剤設置棚の平面形状を間に前記一方の枠辺部と斜向かいに位置する他方の枠辺部を形成する前記切り込み線とほぼ一致する直線に沿って設けた内側折畳線と、前記枠辺部と切り離した補助枠辺部を切り込み線とほぼ一致する直線に沿って設けた外側折畳線と、前記中央部の保冷剤設置棚の平面形状を間に前記補助枠辺部と斜向かいに位置する他方の補助枠辺部を形成する前記切込み線とほぼ一致する直線に沿って設けた外側折畳線とからなる展開状態を有することにより、仕切板の中央部に保冷剤設置棚の平面形状を形成する一対の平行する切込み線部と一対の内側折畳線部とによって保冷剤収容枠体を立ち上げ、それぞれの切込み線部の端部から起立枠辺部と補助枠片部を内側折畳線部及び外側折畳線部にそって折り畳んで重ね合わせることによって、保冷剤収容枠体内の底部から離れた位置に保冷剤を箱体の中心部を含む空間に位置して載置する保冷剤設置棚と、保冷剤収容枠体の外周の箱体に生鮮葉物ハーブ収容部を区画することができる保冷調湿用紙製中仕切板を提供する効果がある。
【００１４】
この場合、保冷剤設置棚の高さは、仕切板の中央部に保冷剤設置棚の平面形状を形成する切込み線部の幅と、切込み線部の相対する端部を結ぶ線に沿って設けた一対の内側折畳線部の幅で決まるから、切込み線部の幅と内側折畳線部の幅が等しくなる保冷剤設置棚の平面形状が直方体の場合は同じ高さになるが、切込み線部の幅が内側折畳線部の幅より小さくなる保冷剤設置棚の平面形状が舟形形状の場合は、内側折畳線部の中央部より切込み線部の端部の高さが低くなり、逆に切込み線部の幅が内側折畳線部の幅より大きくなる保冷剤設置棚の平面形状が鼓形形状の場合は、内側折畳線部の中央部より切込み線部の端部の高さが高くなる。
また、本発明は、請求項４に記載のように、切込み線部のほぼ中心部から仕切板の縁部に向かってそれぞれほぼ直角方向に設けた切離線部を有する構成を有することにより、保冷剤設置棚の切込み線部の高さは、切込み線部の幅の半分となり、切込み線部を起立枠辺部と補助枠片部の両方で支持することになり、いずれか一方で支持するより安定して支持することができる効果がある。
【００１５】
また、本発明は、請求項５に記載のように、切込み線部の相対する端部を結ぶ線に沿って設けた一対の内側折畳線部の中間線部が切込み線部の間隔より幅広く設けた幅広中間線部を形成する構成を有することにより、保冷剤設置棚の両端部を狭めることによって保冷剤を安定して収容することができると共に、両端部の低くなった部分に保冷剤の結露水を導いて集めることができる効果がある。
また、幅広中間線部の端部から仕切板の縁部に向かって切込み線部と平行に内側湾曲線部を設けることにより、保冷剤収容枠体の形状を保冷剤設置棚とほぼ同一の形状にすることができる。
また、本発明は、請求項６に記載のように、保冷剤設置棚の平面形状を形成する切込み線部の相対する端部を結ぶ線に沿って相対して設けた内側折畳線部の一部に折畳線部のない間欠部を設け、相対する間欠部の両端部間を切欠き線部で切り離すと共に、切離し部の中央を前記切離線部と一致する直線に沿って切り離して立脚片部を設けてなる構成を有することにより、立脚片部によって保冷剤設置棚を安定して支持することができると共に、通気孔によって箱底部に沿って冷気を送り出すことができる効果がある。
ここで、立脚片部は、保冷剤設置棚の一部から箱体底部に向けて保冷剤収容枠体の一部として連接してできている部分であって、保冷剤設置棚を支持していれば形状は問わない。
【００１６】
また、本発明は、請求項７に記載のように、切込み線部から仕切板の縁部に向かってそれぞれほぼ直角方向に設けた切離線部で切り離した一方の起立枠辺部を切込み線部とほぼ一致する直線に沿って設けた内側折畳線部により内側にほぼ直角に屈曲すると共に、前記起立枠辺部と切り離した補助枠辺部を切込み線部とほぼ一致する直線に沿って設けた外側折畳線部により外側にほぼ直角に屈曲し、前記中央部の保冷剤設置棚の平面形状を底部として相対する一対の内側折畳線部により保冷剤収容枠体を立ち上げて、補助枠片部の前記起立枠片部と補助枠片部を重ね合わせて組み立て可能なる構成を有することにより、折り畳んだ起立枠片部と補助枠片部を重ね合わせることによって、保冷調湿用紙製中仕切板を組み立てて箱体内に容易に収容することができる効果がある。
【００１７】
また、前記起立枠片部と補助枠片部の切込み線部からの切離線部に沿った長さを起立枠片部の方が補助枠片部より切込み線部の長さだけ長く設けることにより、折り畳んだ起立枠片部と補助枠片部を重ね合わせたとき同じ大きさになるから、保冷調湿用紙製中仕切板を組み立てて箱体内に容易に収容することができる。
また、本発明は、請求項８に記載のように、保冷剤設置棚の切込み線部の長さとその両側の起立枠片部又は補助枠片部の幅を加えた長さが箱体の幅にほぼ一致するように構成したことにより、保冷調湿用紙製中仕切板の横幅が箱の横幅にほぼ一致して安定して収容することができる効果がある。
また、本発明は、請求項９に記載のように、保冷剤収容枠体に１個又は複数個の通気孔を設けて保冷及び調湿作用が箱全体に安定して行き渡るようにする効果がある。
また、通気孔は、保冷剤による冷気を生鮮葉物ハーブ収容部に通気させる孔部であって、形状は特に問わないが、保冷剤が抜け出ない大きさであって、孔があいていれば良い。また、切り欠きによって作られる通気孔であっても、保冷剤が抜け出ないサイズであればよい。
【００１８】
また、本発明は、請求項１０に記載のように、請求項１乃至９のいずれかに記載の保冷調湿用紙製中仕切板を用いた生鮮葉物ハーブの搬送用コンテナー箱によって、生鮮葉物ハーブを劣化することなく保管搬送することができる効果がある。
また、本発明は、請求項１１に記載のように、箱が組立可能な段ボール箱からなることにより、軽量で折畳及び組み立ての取り扱いが容易な生鮮葉物ハーブの搬送用コンテナー箱を提供する効果があり、結露水を保冷剤設置棚が吸収することにより、発泡スチロール製の箱と同様に結露水による底部劣化が生じない効果がある。
また、本発明は、請求項１２に記載のように、請求項１乃至９のいずれかに記載の折り畳んだ保冷調湿用紙製中仕切板を組み立てて箱内に収容し、保冷剤収容枠体と保冷剤設置棚により箱の中心部に保冷剤を収納すると共に、その周囲に生鮮葉物ハーブを収容して箱詰めし、保管又は搬送することからなる生鮮葉物ハーブの搬送システムを提供する効果がある。
【００１９】
また、本発明の、請求項１３に記載のように、請求項１０又は１１に記載の生鮮葉物ハーブの搬送用コンテナー箱の生鮮葉物ハーブ収容部に収容された容器入り生鮮葉物ハーブは、生鮮葉物ハーブを容器に入れて搬送用コンテナー箱に収容するから、傷みやすい生鮮葉物ハーブを積み重ねて収容できると共に、積み重ね位置が上下でほぼ同じ保冷、保湿効果が得られる。
また、本発明は、請求項１４に記載のように、請求項１３に記載の容器入り生鮮葉物ハーブの容器が、保冷剤収容枠体に設けた通気孔より大きな容器を用いた容器入り生鮮葉物ハーブを提供することにより、流通過程に生じる振動などで生鮮葉物ハーブと保冷剤が通気孔を介して接触しないため、擦れるようなことがなく、生鮮葉物ハーブを傷めることなく流通させることができる効果がある。
【図面の簡単な説明】
【００２０】
【図１】本発明の一実施例を底面側から見た斜視図
【図２】その実施例の平面図
【図３】その実施例の底面図
【図４】その実施例の側面図
【図５】その実施例の展開図
【図６】その実施例の使用態様を示す平面図
【図７】本発明の他の実施例の平面図
【図８】本発明の他の実施例の平面図
【図９】本発明の他の実施例の側面図
【図１０】本発明の他の実施例の平面図
【図１１】その他の実施例の展開図
【図１２】その他の実施例の展開図
【図１３】その他の実施例の斜視図
【発明を実施するための形態】
【００２１】
以下図示する実施例に基づいて本発明を説明する。
【実施例１】
【００２２】
本発明に係わる保冷調湿用紙製中仕切板の中仕切板本体２０は、図１乃至図６に記載の実施例において、底板、天板及び側板を有する箱体３０の底部３１の中央に位置して着脱可能に立設して組立可能な吸水性紙製の保冷剤収容枠体１と、保冷剤収容枠体内の底部３１から離れた位置に組立可能に設け保冷剤４０を箱体３０の中心部を含む空間に位置して載置する吸水性紙製の保冷剤設置棚２とからなり、保冷剤収容枠体１の外周に生鮮葉物ハーブ収容部５０を区画する構成を有する。
ここで、吸水性紙とは、紙の表面に撥水コート、艶出し塗料やフィルム貼り等の加工をしていない、水を垂らすと染み込む紙のことをいう。また、吸水性紙としては、１枚の紙であっても、複数の紙を重ね合わせても、段ボールの様に貼り合わせた物であっても良い。更に、表面に傷、切れ目、毛羽立たせる等加工をすることで、吸水性を高めたものも使用することができる。
また、保冷剤は、水に高吸水性樹脂を添加し容器に密封し、冷却することで繰り返し使用できるタイプや、容器入りのドライアイスや氷等、周囲の気体を冷やす効果のある容器入りのものであればよく、特に繰り返し使用できる保冷剤であることが好ましい。
【００２３】
また、箱体の底部の中心部は、その箱体の長辺の中央位置と短辺の中央位置の交点付近および、その各辺の長さの&plusmn;２０％までの幅を含むエリアの位置をいう。また、箱体の中心部とは、箱体の底部の中心部に更に高さ方向の中央位置の&plusmn;２０％の位置をいう。また、中心部を含む空間とは、箱体の中心部の一部を含むものとする。
また、保冷剤設置棚は、保冷剤を置くことができる棚又は段部であればよい。底面が完全に塞がっている必要はなく、保冷剤の重さを支えて、維持できる形状であれば良い。
また、保冷剤収容枠体の材料は、基本的には、保冷剤設置棚に吸水性があれば良いが、製造工程からすると全体を同一材料で制作することが効率的であり、また、調湿効果を高めることからも、中仕切板全ての素材が吸水性紙製であることが好ましく、保冷剤を支持するための強度面からすると段ボール製であることが好ましい。
また、生鮮葉物ハーブは、食用とする部位が主として葉部部分であるハーブであって、根や茎等が付随していても良いが、食用となる葉部部分が主となっているものである。生鮮葉物ハーブは、具体的には、マスタードグリーン、シブレット、レモングラス、クレソン、セルバチコ、ソレル、シソ、ターサイ、セロリ、バジル、セージ、ルッコラ、ミント、エンダイブ、香菜、オレガノ、パセリ、マーシュ、チャービル、レッドビート、タイム、ディル、ベビースピナッチ、タラゴン等の葉菜類の葉物ハーブの単品または組み合わせた生鮮葉物ハーブをいう。さらに、これらを、葉部部分のみを選別したり、カットしたりしたミックスカット葉物ハーブ、又は、複数種の幼葉をミックスしたベビーリーフなども含まれる。
【００２４】
また、生鮮葉物ハーブ収容部は、箱体と中仕切板によって区分けされた部分で、生鮮葉物ハーブを収容する部分である。
このことにより、保冷剤４０を箱体３０の中心位置を含んで設置することができるから、中心付近にある保冷剤４０が箱体３０の底面、側面及び天面から隔離されているので、保冷剤の熱エネルギーが直接外部に伝導して逃げないため、熱効率良く保冷剤収容枠体１の外周の生鮮葉物ハーブ収容部５０に収容した生鮮葉物ハーブを鮮度良く保管することができる。
また、保冷剤収容枠体１及び保冷剤設置棚２が吸水性紙製であるから、保冷剤の結露を吸水することにより箱体の壁面や底部や収容した生鮮葉物ハーブが濡れるのを防止することができると共に、乾燥した状況においては保湿することができる。
実施例１における紙製の中仕切板本体２０は、図５の展開図において、箱体３０の高さの２倍の横幅と箱体３０の底部３１の縦幅の四角形部１０の中央部に細長い保冷剤設置棚２の輪郭形状に合わせて一対の切込み線部３を平行して設けると共に、相対する切込み線部３の端部３ａを結ぶ線に沿って内側折畳線部４を相対して設けてある。また、それぞれの切込み線部３のほぼ中心部から中仕切板本体２０の縁部に向かってそれぞれほぼ直角方向に切離線部５が設けてある。
【００２５】
従って、保冷剤設置棚２の輪郭線になる内側折畳線部４を境に両側の四角形部１０を直角方向に立ち上げると、四角形部１０は保冷剤設置棚２とその両側の保冷剤収容枠体１となる。そのとき、保冷剤収容枠体１と一体にその両側の起立枠片部６と補助枠片部７が起立して、保冷剤設置枠２を上方に支持することとなり、その支持高さは、保冷剤設置枠２の切込み線部３部分において切込み線部３の幅の半分であり、保冷剤設置枠２の内側折畳線部４の中間部幅広部分において内側折畳線部４の中間部幅の半分である。
その結果、実施例１の保冷剤設置棚２の高さは、幅の狭い切込み線部３部分では低くなり、中間部幅広部分において高くなるから、実施例１の保冷剤設置棚２は中央部に対して両側が低い舟形底部２ａの構成になる。この場合、中央部に対して両側が低い舟形底部２ａに吸水性部材を収容しておけば、保冷剤の結露が流れ込んでも吸水できることとなる。
また、保冷剤設置棚２の平面形状を形成する内側折畳線部４の一部に折畳線部のない間欠部１１を設け、相対する間欠部１１の両端部間を切欠き線部１２で切り離すと共に、切離し部の中央を前記切離線部５と一致する直線に沿った切離し線部１３で切り離すと、保冷剤収容枠体１と共に立脚して保冷剤設置棚２を支持する立脚片部１４を設けることができる。同時に保冷剤設置棚２に立脚片部１４を切り欠くことによって箱底部側の枠体に直通の通気孔１５を設けることができる。
図１０に記載のように、保冷剤設置棚２が長方形の場合には、その高さは切込み線部３の長さの半分で一定であり、また、図では省略した他の実施例において、保冷剤設置棚２の両端部の切込み線部３を大きくした鼓形状の場合には、幅広の両端部が高く幅の狭い中央部が低い形状になり、保冷剤を保冷剤設置棚２の中央部に安定的に設置することができる。
【００２６】
図５の展開図において、起立枠片部６は保冷剤収容枠体１に対して切込み線部３と一直線上にある内側折畳線部８を境にほぼ直角に内側に折り曲げられて、保冷剤設置棚２の切込み線部３部分に当接し、補助枠片体７は切込み線部３と一直線にある外側折畳線部９を境にほぼ直角に外側に折り曲げて、前記起立枠片部６の内側に重ねて、保冷剤収容枠体１を補強することとなる。
図６に記載のように、切込み線部３と２個の補助枠片部７の長さが箱体３０の横幅にほぼ等しくなるように形成することによって、保冷剤収容枠体１と共に立ち上げた起立枠片部６と補助枠片部７を外周を合わせて重なるようにほぼ直角に折り曲げて、箱体３０内に嵌め込むだけで迅速に保冷剤収容枠体１を組み立てることができる。この場合、起立枠片部６の幅は補助枠片部７の幅より切込み線部３の長さだけ長くなる。換言すれば、補助枠片部７は起立枠片部６より切込み線部３の長さだけ短くなる。
なお、箱内壁に密着する外側の起立枠片部６の幅が小さくなっても内側の補助枠片体７が箱体３０に密着して内接していれば、保冷剤収容枠体１及び保冷債設置棚２は組立状態を維持されることとなる。内側の補助枠片体７が短くなる場合には、起立枠片部６が箱体３０に密着していれば、生鮮葉物ハーブ収容部５０に隙間なく収容した生鮮葉物ハーブ収容容器５１により補助枠片部７は起立枠片部６に密着した状態を維持できることとなる。なお、起立枠片部６と補助枠片体７を重ねてホッチキスや接着テープ、接着剤などで両者を固定して使用することも可能である。また、重ね合わせて組み立てた起立枠片部６と補助枠片体７がいずれも箱体３０に合致しない場合には、起立枠片部６と補助枠片体７のいずれかを箱体３０に固定して使用することができる。
【００２７】
図５の展開図において、１６は舟形の保冷剤設置棚２の下降傾斜部と中央平坦部との境界線部であり、１７は境界線部１６に一致して保冷剤収容枠体１に設けた内側折曲線部である。また、図１又は図４に記載のように、保冷剤収容枠体１には、複数個の通気孔１８が適宜に設けてある。また、図６において、３１は段ボ−ルなどからなる箱体３０の内蓋片部、３３は外蓋片部である。
また、箱体３０は、ほぼ密閉できる形態で、保温効果がある材質で出来ていることが好ましい。例えば、紙の箱であれば、ＪＩＳ規格の０２形、０３形.０４形等各種の貼り合わせ又は組み合わせて製作されるものであり、さらに、天面の開いている箱型の成型容器と天面を塞ぐ蓋の組合せであっても良い。ほぼ密閉とは、完全密閉であっても良いが、直接に生鮮葉物ハーブが外部から触れることができないもので、折り返された紙、プラスチック又は板等で覆われている状態であれば良く、その覆われた状態を維持させる方法としては、糊、ホッチキス等で留めることも可能だが、テープなどで隙間を埋めている状態であることが好ましい。
【００２８】
また、図７、図８又は図９に記載の実施例では、保冷剤設置棚２に立脚片部１４及び通気孔１５を設けていない構成であり、図８は保冷剤設置棚２に一個以上複数個の通気孔１９を開口してある。
図１０は保冷剤設置棚２が長方形の場合であり、その高さは切込み線部３の長さの半分で一定となる。なお、実施例１において、保冷剤設置棚２の高さは、切込み線３の長さに対応するが、切込み線部３の長さの半分に限定されるものではない。例えば、図１１の展開図に示すように、切り込み線部３と内側折畳線部４によって形成される保冷剤設置棚２において、切離線部５を切り込み線部３の一端部３ｂに直角に設けた場合、起立枠片部６を内側折畳線部４によって起立させると、保冷剤設置棚２の切り込み線部３の高さは、切り込み線部３の長さになる。
【００２９】
このことから、保冷剤設置棚２の切り込み線部３の高さは切離線部５の切離し位置３ｂを切り込み線部３のどの位置に設けるかで、一端部３ａからの切離し線部５の切離し位置３ｂの距離の長さによって決まることとなる。換言すれば、起立枠片部６と補助枠片部７が起立したときいずれか大きい方が起立高さとなる。ただし、切離線部５の切離し位置３ｂが切り込み線部３の中心から偏る場合には、起立枠片部６と補助枠片部７のいずれか一方が保冷剤設置棚２を支持することとなるから、安定性、強度性又は組立易さにおいて起立枠片部６と補助枠片部７の支持高さが等しい先の図１乃至１０の実施例１の方が好ましいこととなる。
なお、紙の厚みは、保冷剤を収容して形状を維持させることができるなら特に指定はない。また、紙の折り畳み方法としては、段ボールや厚い板紙を使用する場合は、折り目を付けておき、折り目に沿って折ることが好ましい。特に紙目に逆らう場合や段ボールの段の向きとは違う方向に折る場合は、折り目を付けておくことで容易に折り曲げることができる。
【実施例２】
【００３０】
図１２又は図１３に記載の実施例２においては、中仕切板本体６０は段ボールなどの厚紙からなり、その長方形の展開図において、開口部６１を形成する細長い切欠孔６２を中央長手方向に設けてあり、その切欠き孔６２の長手方向に沿って外側折畳線部６３を設けて、半分に折り畳めるように構成してある。切欠き孔６２の両端部６４には直角方向に内側折畳線部６５が斜向かいに設けてあると共に、その反対側には切欠き孔６２を外側に直角方向に折り曲げて開口部６１を構成すべき保冷剤支持枠部７０の長径枠部７１，７２と短径枠部７３，７４を区画して成形する外側折畳線部７５が斜向かいに設けてある。
図１２の展開図において、切欠き孔６２の長手方向に沿って外側折畳線部６３で折り畳むと、支持枠部６６と６７、６８と６９が重なり合うこととなるが、そのとき、斜向かいの長径枠部７１，７２と短径枠部７３，７４を区画するように、内側折畳線部６５を内側に、外側折畳線部７５を外側に同時に直角方向に折り込むと、図１３に記載のように長径枠部７１，７２と短径枠部７３，７４が互いに向かい合って直方体となる中仕切板本体６０の基本形態ができあがることとなる。
ここで、向かい合った長径枠部７１，７２には、その間隔に合致した折曲げ幅の保冷剤設置棚７６，７７，７８となるように、凸字形状に切欠き線部７９と外側折曲げ線部８０が同じ支持高さに設けてあると共に、凸字形状の突起部８１が係合する掛止穴８２がそれぞれ設けてある。なお、図示の実施例では保冷剤収容棚の数は交互に合計３個であるが、１個以上複数個を適宜な間隔で設けることができる。また、切欠片部によって保冷剤収容枠体に通気孔８３と保冷剤設置棚とを一度に設けることができると共に。相対する切欠片部によって保冷剤収容枠体７１、７２に交互に通気孔と保冷剤設置棚を設けることができる。
【実施例３】
【００３１】
図６に記載の実施例３は、図１乃至図５に記載の保冷調湿用紙製中仕切板本体２０を用いた生鮮葉物ハーブの搬送用コンテナー箱体３０を提供するものである。実施例の場合、箱体３０は組立可能な段ボール箱からなり、生鮮葉物ハーブの収納現場において組み立てられる。同様に中仕切板本体２０も現場において組み立てられ、箱体３０に起立枠片部６及び補助枠片部７が内接することによって中央の保冷剤収容枠体１とその両側の生鮮葉物ハーブ収容部５０が区画される。保冷剤収容枠体１には保冷剤４０がその底部となる保冷剤設置棚２上に収容されて、箱体３０の中心部を含む区画に位置するように構成してある。生鮮葉物ハーブは個々に通気性を確保して通気性のある生鮮葉物ハーブ容器５１に収容されて、箱体３０の底部３１から順次に生鮮葉物ハーブ収容部５０内に十分な通気隙間を確保して収容される。この場合、生鮮葉物ハーブ容器５１は柔軟な弾力性のあるプラスチック製品からなり、内蓋部３２及び外蓋部３３により封印されて、保管、搬送されるときに、互いに弾性変形して内外の通気性を確保するように構成してある。なお、生鮮葉物ハーブ容器は、生鮮葉物ハーブの全体を覆う包装が好ましく、密封されていても、密封されていなくても良い。ただし、フィルムの様な軟包装材料で、特に擦れ等で傷みやすい生鮮葉物ハーブ用の容器の場合は、密封して容器内にエアを入れておくことが好ましい。なお、容器５１の材質としては、ポリエチレン、ポリプロピレン、ＰＥＴ、ポリスチレン等の単層又は複層の組み合わせで良い。
このとき、箱体底部３１の上方の保冷剤設置棚２上に収容され、箱体３０の中心部に設置した保冷剤４０によって、生鮮葉物ハーブ容器５１内の生鮮葉物ハーブは満遍なく冷気にさらされて、鮮度を保持可能となる。また、保冷剤４０が結露するような場合には、保冷剤設置棚２が吸水性を有することにより、箱体３０の底部３１を濡らしたりしないから、生鮮葉物ハーブ容器５１内の生鮮葉物ハーブが濡れて劣化する畏れはないと共に、吸水によって保湿効果も得られる。
このように、本発明は、折り畳んだ保冷調湿用紙製中仕切板２０を組み立てて箱体３０内に収容し、保冷剤収容枠体１と保冷剤設置棚２により箱の中心部に保冷剤４０を収納すると共に、その周囲に生鮮葉物ハーブを収容して箱詰めし、保管又は搬送することからなる生鮮葉物ハーブの搬送システムを提供するものである。
【実施例４】
【００３２】
なお、発明者らがミリメートルで３４０&times;２２０&times;１８０の段ボール箱に、ミリメートルで１２０&times;１５０&times;３０の大きさの同じ材料の段ボールからなる保冷剤フォルダーに保冷剤を収容して、保冷剤を段ボール箱の角部に平置きしたものと、中央に立置きしたものを、冷蔵庫に摂氏６度で３時間保管した後、摂氏２７度の定温庫に移管して３時間経過後の箱外表面温度をレーザー測定器で計測したところ、片隅に平置きした箱の温度分布は、１４．５度乃至２１．０度で温度差６．５度であったのに対して、中央に縦置きした箱の温度分布は、１６．２度乃至２０．４度で温度差４．２度であった。このことから、保冷剤を段ボール箱の中心部に設置すると全体的に低温且つ温度差が小さくなる傾向が確認された。
【実施例５】
【００３３】
また、上記と同じ段ボール箱と保冷剤フォルダーを用いて、同量のポリエチレン製の袋入りのベビーリーフを本発明の保冷剤収容枠を用いたものと、段ボール箱の角部に平置きしたものとに収容し、共に冷蔵庫に摂氏６度で３時間保管した後、摂氏３０度の定温庫に移管して２４時間保管した結果、本発明の保冷剤設置棚を用いた箱体の中の全てのベビーリーフは良品であったが、段ボール箱の角部に平置きしたの箱体に中のベビーリーフは、底部に接している袋の表面に水滴のついた跡が確認された。底部のベビーリーフの変色や幼葉のとろけ等はなく、ベビーリーフ自体は良品であったが、最上面にあった袋のベビーリーフは一部製品価値に影響する変色が生じていた。
なお、保冷剤の保冷期間は、例えば、箱詰めする産地から、温度管理ができる店頭まで３６時間以内で流通する場合には３６時間持続することが好ましく、市場で箱を開封するまでの流通時間が２４時間以内ならば、２４時間持続することが好ましい。また、箱体内の保冷温度は、生鮮葉物ハーブが凍結しないことが好ましいことから、０℃以上であることが好ましく、さらに好ましくは２℃以上である。また、２０℃以下であれば生鮮葉物ハーブに影響する微生物の増殖が抑制できるが、多くの生鮮葉物ハーブの鮮度保管においては経験上１５℃以下が適当とされる。
【符号の説明】
【００３４】
１      保冷剤収容枠体
２      保冷剤設置棚
３      切込み線部
４      内側折畳線部
５      切離線部
６      起立枠片部
７      補助枠片部
８      内側折畳線部
９      外側折畳線部
１０    四角形部
１１    間欠部
１２    切欠き線部
１３    切離し線部
１４    立脚片部
１５    通気孔
１６    境界線部
１７    内側折畳線部
１８    通気孔
１９    通気孔
２０    中仕切板本体
３０    箱体
３１    底部
４０    保冷剤
５０    生鮮葉物ハーブ収容部
５１    生鮮葉物ハーブ容器
６０    中仕切板本体
６１    開口部
６２    切欠き孔
６３    外側折畳線部
６４    両端部
６５    内側折畳線部
６６    支持枠体
６７    支持枠体
６８    支持枠体
６９    支持枠体
７０    保冷剤支持枠部
７１    長径枠部
７２    長径枠部
７３    短径枠部
７４    短径枠部
７５    外側折畳線部
７６    保冷剤設置棚（切欠片部）
７７    保冷剤設置棚（切欠片部）
７８    保冷剤設置棚（切欠片部）
７９    切欠き線部
８０    外側折曲線部
８１    突起部
８２    掛止穴
８３    通気孔
【図１】
2015221687.tif 000003
【図２】
2015221687.tif 000004
【図３】
2015221687.tif 000005
【図４】
2015221687.tif 000006
【図５】
2015221687.tif 000007
【図６】
2015221687.tif 000008
【図７】
2015221687.tif 000009
【図８】
2015221687.tif 000010
【図９】
2015221687.tif 000011
【図１０】
2015221687.tif 000012
【図１１】
2015221687.tif 000013
【図１２】
2015221687.tif 000014
【図１３】
2015221687.tif 000015